(57)【要約】【課題】　ポンプディスペンサーから液体を噴射するにあたって操作性を向上することができるポンプディスペンサー用補助カバーを提供する。【解決手段】　ノズルヘッド２の上下移動により容器内の液体を噴出するポンプディスペンサーに対して取り付けられ、レバー部１２によりノズルヘッド２を下方に押し下げる機能を有するポンプディスペンサー用補助カバー１であって、ポンプディスペンサーのキャップ３に取り付けるようにした。　このポンプディスペンサー用補助カバー１は、キャップ３に取り付けられる中空状の基体部１１を備え、レバー部１２は、基体部１１に対してヒンジ部を介して回動可能に設けられ、レバー部１２の回動によりノズルヘッド２を下方に押し下げるものである。【選択図】　図２
2004122123.tif 000002
【特許請求の範囲】
【請求項１】
　ノズルヘッドの上下移動により容器内の液体を吐出するポンプディスペンサーに対して取り付けられ、レバー部によりノズルヘッドを下方に押し下げる機能を有するポンプディスペンサー用補助カバーであって、
　ポンプディスペンサーのキャップに取り付けられていることを特徴とするポンプディスペンサー用補助カバー。
【請求項２】
　前記ノズルヘッドの上端には突起又は溝が形成され、該突起又は溝がレバー部の裏面側に形成された溝又は突起に係合されていることを特徴とする請求項１記載のポンプディスペンサー用補助カバー。
【請求項３】
　前記キャップに取り付けられる中空状の基体部を備え、
　前記レバー部は、基体部に対してヒンジ部を介して回動可能に設けられ、
　該レバー部の回動によりノズルヘッドを下方に押し下げるものであることを特徴とする請求項１記載のポンプディスペンサー用補助カバー。
【請求項４】
　前記基体部はノズルヘッドから突出したノズルの移動を許容する切欠部を有することを特徴とする請求項３記載のポンプディスペンサー用補助カバー。
【請求項５】
　前記基体部はノズルヘッドから突出したノズルの移動を許容する切欠部とレバー部の回動を許容する切欠部とを有し、
　レバー部は該ノズルと反対側に垂下していることを特徴とする請求項３記載のポンプディスペンサー用補助カバー。
【請求項６】
　前記基体部はノズルヘッドから突出したノズルの移動及びレバー部の回動を許容する切欠部を有し、
　レバー部はノズルの移動を許容する切欠部を有し、且つノズルと同一側で垂下していることを特徴とする請求項３記載のポンプディスペンサー用補助カバー。
【請求項７】
　前記基体部とレバー部とはヒンジ部を介して一体化していることを特徴とする請求項３記載のポンプディスペンサー用補助カバー。
【請求項８】
　前記基体部とレバー部との間にレバー部の回動を阻止するための切離し可能なストッパーを設けたことを特徴とする請求項３記載のポンプディスペンサー用補助カバー。
【請求項９】
　前記レバー部に設けられた突起部がノズルヘッドの上面を押圧するものであることを特徴とする請求項３記載のポンプディスペンサー用補助カバー。
【請求項１０】
　前記レバー部の移動を拘束する位置と拘束しない開放位置とに回動可能な回動ストッパーが取り付けられた筒状の安全部材が、基体部の中心軸と同一の中心軸を有するように設けられたことを特徴とする請求項３記載のポンプディスペンサー用補助カバー。
【請求項１１】
　前記安全部材には、回動ストッパーを開放位置にて保持するためのストッパー保持部が形成されたことを特徴とする請求項１０記載のポンプディスペンサー用補助カバー。
【請求項１２】
　前記ストッパー保持部は、一対の相互に隣接する板状部材からなり、
　回動ストッパーは該一対の板状部材の間に挟み込まれて保持されることを特徴とする請求項１１記載のポンプディスペンサー用補助カバー。
【請求項１３】
　前記安全部材には回動ストッパーが形成された側とは反対側に、把持したポンプディスペンサー付き容器がずれ落ちないように、親指を受けるための支持片が設けられたことを特徴とする請求項１０記載のポンプディスペンサー用補助カバー。
【請求項１４】
　前記安全部材は、基体部と一体化されていることを特徴とする請求項１０記載のポンプディスペンサー用補助カバー。
【請求項１５】
　請求項１〜１４のいずれか１項記載のポンプディスペンサー用補助カバーを有するポンプディスペンサー付き容器。
【発明の詳細な説明】
【技術分野】
【０００１】
　本発明は、各種液体等を噴出するポンプディスペンサーに取り付けられるポンプディスペンサー用補助カバーに関する。
　更に詳しくは、ポンプディスペンサーに取り付けてノズルヘッドを下方に押し下げる機能を有するポンプディスペンサー用補助カバーに関する。
【背景技術】
【０００２】
　従来、ノズルヘッドの上下移動により容器内の液体を噴出するポンプディスペンサーが多く利用されている。
　このようなポンプディスペンサーは、液体を充填した容器の口部に取り付けられて使用され、上下移動するノズルヘッドを有するピストンの下方移動により容器から吸い上げたシリンダー内の液体を圧縮してノズルより液体を噴出（噴霧も含む）させるポンプ機能を発揮するものである。
【０００３】
　一般的に、液体を噴出するには、ポンプディスペンサーを手で掴み、指等を使って上方からノズルヘッドを押し下げる操作が必要である。
　そのため、例えば、住宅用のスプレーとして使用する場合に、吹き付ける場所或いは姿勢によっては押圧操作が困難となる。
　また、最近の化粧用のスプレーとして使用する場合は、ポンプディスペンサーを手に持って手前側（すなわち顔側）に吹き付ける際、上方からノズルヘッドを押圧しようとするとノズル口がブレて操作がしにくい。
【０００４】
　すなわち、押圧力が入りにくく且つノズルの位置を安定して保持することができないのである。
　このようなことから、ピストン上下式のポンプディスペンサーにカバーを取り付けて横方向から押圧するだけでノズルヘッドを比較的容易に下方に押し下げることができるようにしたものが開発されている。
【０００５】
　その一例として、簡易トリガー式液体噴出容器等が提供されている（例えば、特許文献１参照）。
　この簡易トリガー式液体噴出容器は、力方向を変えることができる補助的なキャップを利用したもので、そのキャップ本体（カバーに相当）の凸条を容器の口部に形成された凹溝内へ嵌合させることで両者を強く取り付けている。
　そして、キャップ本体の屈曲板部材のトリガーを引くことで、容易に水平板をヘッドに押し付けて容器内の液体を噴出させることができるものである。
【０００６】
　すなわち、この種の従来ポンプディスペンサーは、このキャップ本体の使用によって、トリガーを横方向に引くことで簡単にヘッドを押し下げることができる。
　このように屈曲板部材により横方向の力を縦方向（すなわち下方向）の力に変えることができることから、手の操作が極めて容易となり有用なものである。
【０００７】
【特許文献１】特開平９−５７１６３号公報
【発明の開示】
【発明が解決しようとする課題】
【０００８】
　しかしながら、従来のポンプディスペンサーが取り付けられた液噴出容器では、容器内に液体を補充する場合に問題が生ずる。
　容器内に液体を補充する場合には、液補充のため口頸部の螺合を解いて容器本体から一旦ポンプディスペンサーを取り外す必要があるが、この形式のポンプディスペンサーでは、まず、キャップ本体を容器の口頸部から取り外した後でなければ、装着筒の螺合を外すことはできない。
【０００９】
　また、逆に、ポンプディスペンサーを取り付ける場合には、まず、装着筒を容器の口頸部に螺合させて取り付けた後に、キャップ本体を容器の口頸部に取り付けることとなる。
　このように、キャップ本体と装着筒との両方を容器に対して取り付け、又は取り外ししなければならないため、複数の操作となり極めて面倒であり、液補充のための効率が悪い。すなわち、装着筒に対するキャップ本体の取外しや取付けが二度手間となり、操作性が悪いという問題があった。
【００１０】
　また、従来のポンプディスペンサーでは、ポンプディスペンサーから液体を噴射する際に、ノズルヘッドを上下移動させるための力を加えたときに、ノズル回転方向にも力が加わり、ノズルが回転してしまい所定の場所に液体を噴射することができないという問題があった。
　更に、従来のポンプディスペンサーでは、意図せずにトリガーを引いてしまいノズルから液体が噴射される場合があった。これを避けるためには、ポンプディスペンサーの不使用時にノズルにノズルキャップをしなければならず、手間がかかったりノズルキャップが紛失するという問題があった。
　本発明は、かかる技術背景をもとになされたもので、上記の従来技術の問題点を克服するためになされたものである。
　すなわち、本発明は、ポンプディスペンサーから液体を噴射するにあたって操作性を向上することができるポンプディスペンサー用補助カバーを提供することを目的とする。
【課題を解決するための手段】
【００１１】
　かくして、本発明者は、このような課題背景に対して鋭意研究を重ねた結果、ポンプディスペンサーの一部であるキャップに、直接、補助カバーを取り付けることにより、上記の問題点を解決することができることを見出し、この知見に基づいて本発明を完成させたものである。
【００１２】
　すなわち、本発明は、（１）、ノズルヘッドの上下移動により容器内の液体を噴出するポンプディスペンサーに対して取り付けられ、レバー部によりノズルヘッドを下方に押し下げる機能を有するポンプディスペンサー用補助カバーであって、ポンプディスペンサーのキャップに取り付けられていることに存する。
【００１３】
　また、本発明は、（２）、前記ノズルヘッドの上端には突起又は溝が形成され、該突起又は溝がレバー部の裏面側に形成された溝又は突起に係合されていることに存する。
【００１４】
　また、本発明は、（３）、前記キャップに取り付けられる中空状の基体部を備え、前記レバー部は、基体部に対してヒンジ部を介して回動可能に設けられ、該レバー部の回動によりノズルヘッドを下方に押し下げるものであることに存する。
【００１５】
　また、本発明は、（４）、前記基体部はノズルヘッドから突出したノズルの移動を許容する切欠部を有することに存する。
【００１６】
　また、本発明は、（５）、前記基体部はノズルヘッドから突出したノズルの移動を許容する切欠部とレバー部の回動を許容する切欠部とを有し、レバー部は該ノズルと反対側に垂下していることに存する。
【００１７】
　また、本発明は、（６）、前記基体部はノズルヘッドから突出したノズルの移動及びレバー部の回動を許容する切欠部を有し、レバー部はノズルの移動を許容する切欠部を有し、且つノズルと同一側で垂下していることに存する。
【００１８】
　また、本発明は、（７）、前記基体部とレバー部とはヒンジ部を介して一体化していることに存する。
【００１９】
　また、本発明は、（８）、前記基体部とレバー部との間にレバー部の回動を阻止するための切離し可能なストッパーを設けたことに存する。
【００２０】
　また、本発明は、（９）、前記レバー部に設けられた突起部がノズルヘッドの上面を押圧するものであることに存する。
【００２１】
　また、本発明は、（１０）、前記レバー部の移動を拘束する位置と拘束しない開放位置とに回動可能な回動ストッパーが取り付けられた筒状の安全部材が、基体部の中心軸と同一の中心軸を有するように設けられたことに存する。
【００２２】
　また、本発明は、（１１）、前記安全部材には、回動ストッパーを開放位置にて保持するためのストッパー保持部が形成されたことに存する。
【００２３】
　また、本発明は、（１２）、前記ストッパー保持部は、一対の相互に隣接する板状部材からなり、回動ストッパーは該一対の板状部材の間に挟み込まれて保持されることに存する。
【００２４】
　また、本発明は、（１３）、前記安全部材には回動ストッパーが形成された側とは反対側に、把持したポンプディスペンサー付き容器がずれ落ちないように、親指を受けるための支持片が設けられたことに存する。
【００２５】
　また、本発明は、（１４）、前記安全部材は、基体部と一体化されていることに存する。
【００２６】
　また、本発明は、（１５）、請求項１〜１４のいずれか１項記載のポンプディスペンサー用補助カバーを有することに存する。
　なお、本発明の目的に添ったものであれば、上記請求項を適宜組み合わせた構成も採用可能である。
【発明の効果】
【００２７】
　本発明によれば、ポンプディスペンサーから液体を噴射するにあたって操作性を向上することができる。
【発明を実施するための最良の形態】
【００２８】
　以下、本発明を実施するための最良の形態を図面に基づいて説明する。
〔第一実施形態〕
　図１は、本発明の第一実施形態に係るポンプディスペンサー付き補助カバーがディスペンサー付き容器に取り付けられた状態を示している。また、図２は図１のＡ−Ａ線に沿う断面図である。
　この補助カバー１は、主に、化粧用（人体用）として使用されるもので、ノズル２１を手前側（人体側）に向けて、例えば顔等に吹き付けて使用するものである。
【００２９】
　ここでまず、ポンプディスペンサーについて簡単に説明する。ポンプディスペンサーは、キャップ３、ノズルヘッド２、該ノズルヘッド２の下端に取り付けられているピストンシャフト２ａ（この下方には図示しないピストンが備わっている）、及び図示しないシリンダー等を備えている。
　また、ピストンシャフト２ａは、本来、容器本体４に取り付けるべきキャップ３に対して移動可能に取り付けられている。
【００３０】
　ノズルヘッド２を押し下げることでピストンシャフト２ａは下降してシリンダー内の液体を圧縮してノズルヘッド２のノズル２１から霧状の液体を噴出させるのである。
　ここでノズル２１は先端に噴出口を有するものでノズルヘッド２から横方向に突出状に形成されている。
【００３１】
　このようなポンプディスペンサーは、そのキャップ３を容器本体４の口部に取り付ける（通常は、螺合する）ことで簡単に容器内の液体を噴出可能な状態とすることができる。
　キャップ３は大径部３１とその上に一体形成された小径部３２とを備え、この小径部３２の外側に上方から補助カバー１が取り付けられ、大径部３１の内側に容器の口部が螺合等により取り付けられる。
　容器内の液体が消費されてなくなった場合は、ポンプディスペンサーのキャップ３を容器の口部から取り外して液体を補充することとなる。
【００３２】
　次に補助カバー１について詳細に説明する。補助カバー１は、中空状の基体部１１とその一部よりへの字状に延出したレバー部１２よりなる。
　基体部１１は、ノズルヘッド２を内包可能なように中空状に形成されており、またレバー部１２の回動を許容するために後方（図でいう右方）に切欠部Ｋ２を有する。
　また、レバー部１２は長尺状に形成され、水平部１２ａとそれより下方に延びた垂下部１２ｂを有する。
【００３３】
　レバー部１２は基体部１１の一部（ここでは上部）に薄肉状の結合部、具体的にはヒンジ部１１ａを介して一体化されており、そのために、このヒンジ部１１ａを支点として下方に回動することが可能である。
　レバー部１２が回動すると、その水平部１２ａが下方へ下がるためにノズルヘッド２の上面を押圧するよう作用する。
　レバー部１２である水平部１２ａの裏面にはノズルヘッド２を押圧するための突起部１２ａ１が形成されていることが、両者間の相互の力伝達の観点から好ましい。
【００３４】
　レバー部１２と基体部１１との間にはストッパーＳ（別名「バージンシール」ともいう）が取り付けられているが、このストッパーＳはレバー部１２と薄肉部Ｓ１を介して一体化されている。
　なお、ストッパーＳは基体部１１とは一体化されていない。
　従って、通常はレバー部１２を引こうとしても、このストッパーＳが邪魔をして動かないため不用意に液体が噴出するようなことはない。
　このストッパーＳは、使用する際には薄肉部Ｓ１の部分から切り離して取り除かれ、レバー部１２が回動可能となる。
【００３５】
　さて、この補助カバー１はポンプディスペンサーのキャップ３に取り付けられて使用されるものであるが、ノズルヘッド２が上下移動式のポンプディスペンサーにおいては、先述したように、ノズルヘッド２からノズル２１が横方向に突出状に形成されている。
　このノズル２１は、当然、ノズルヘッド２の上下移動と共に一体となって上下移動するために、補助カバー１の基体部１１は、この移動を許容するための切欠部Ｋ１である長穴を有する。
　ここではノズル２１が切欠部Ｋ１より突出していないが、大きく突出する
ものであっても当然良い。
【００３６】
これら基体部１１に形成された切欠部Ｋ１や先述した切欠部Ｋ２の存在により、レバー部１２やノズル２１が支障なく上下移動を行うことができる。
　さて補助カバー１は、キャップ３に対して強く押し込むことで、その下方が先述したキャップ３の小径部３２に外挿されて取り付けられる。
　その際、大径部３１の根元に補助カバー１の下端部の内突起１１ｂを嵌合するための凹溝３１ａを設けると両者は外れにくくなり、より好ましい。
【００３７】
〔作動〕
　さて、いま、ポンプディスペンサーを容器本体４に取り付け、更にポンプディスペンサーのキャップ３には本発明の補助カバー１が取り付けられた状態（図２参照）にあるとする。
　まず使用する際には、前もってレバー部１２の回動を防止するためのストッパーＳを薄肉部Ｓ１より切り離して取り除く。
　これでポンプディスペンサーは使用可能な状態となり、この状態から、例えば顔面に向かって容器内の液体を噴出させて吹き付ける場合を想定する。
【００３８】
　まず、ノズル２１を顔面に向けた状態で、手で補助カバー１を握り、指を使ってレバー部１２（詳しくは垂下部１２ｂ）を引く。
　すると、レバー部１２はヒンジ部１１ａを支点として時計回りに回動する。
　レバー部１２の回動により、その水平部１２ａは、ノズルヘッド２の上面を押し下げるように作用する。
　ノズルヘッド２と一体化されたピストンシャフト２ａが下降して、図示しないシリンダー内の液体を圧縮してノズル２１から霧状の液体を噴出することができる。
【００３９】
　図３は図２のノズルヘッド２における変形例を示したものである。（Ａ）は、ノズルヘッドの先端側を示した図であり、（Ｂ）は、（Ａ）のＢ−Ｂ線に沿う断面図である。
　図に示すようにノズルヘッド２Ａの先端には、先端が丸まった形状をした板状の突起部２ｂが形成されている。
　この突起部２ｂは、水平部１２ａに形成された一対の突出片１２ａ１により形成された溝１２ａ２に係合されている。
　そのため、液体を噴出するためにレバー部１２を引いたとき、不用意にノズルヘッド２Ａが回転してしまうことがない。
【００４０】
　図４は、レバー部１２を回動した後の状態を示す。
　この場合、基体部１１には切欠部Ｋ１や切欠部Ｋ２が形成されているために、レバー部１２の回動やノズルヘッド２の下方移動は支障なく円滑に行われる。
　噴出後は、レバー部１２から指を離したり或いは指の力を緩めたりすることで、ノズルヘッド２は復帰力により上昇して図２の初期状態の位置に戻る。
　このように、補助カバー１を持ち易いように握ることで、手前側に液体を噴出することができ、化粧用として極めて有用である。
【００４１】
　ところで、容器内の液体が消費されて新しい液体を補充する場合を考える。
　ポンプディスペンサーを取り外す際には、単にキャップ３を手で持って容器本体４の口部との螺合を解いて外してやれば良い。
　液体を充填した後、また取り付ける際は、同様にキャップ３を手で持って容器本体４の口部に螺合して取り付けてやれば良い。
　このように、取付けや取外しが、一挙に行うことができ単一操作となり極めて便利である。
【００４２】
〔第二実施形態〕
　図５は、本発明の第二実施形態に係るポンプディスペンサー付き補助カバーの断面を示している。
　この補助カバー１Ａは、主として住宅用（部材用）のポンプディスペンサーに適用するものであり、例えばノズル２１Ａを壁側に向けて吹き付けて使用するものである。
　補助カバー１Ａは、ノズルヘッド２を内包可能な中空状の基体部１１Ａとその基体部１１Ａよりへの字状に延出したレバー部１２Ａよりなるのは、先述の第一実施形態と同じであるが、基体部１１Ａのレバー部側には、ノズル２１Ａの上下移動を許容するための切欠部Ｋ３が形成されている。
【００４３】
　ここで、この切欠部Ｋ３は、ノズル２１Ａの上下移動を許容するための切欠部の機能も有する。
　またレバー部１２Ａにはノズル２１Ａの上下移動を許容するための切欠部Ｋ４である長穴が形成されている。
　これらの切欠部Ｋ３や切欠部Ｋ４の存在によりノズル２１Ａやレバー部１２Ａは支障なく上下移動を行うことができる。
【００４４】
〔作動〕
　さて、いま、ポンプディスペンサーを容器本体４に取り付け、更にポンプディスペンサーのキャップ３に本発明の補助カバー１Ａを取り付けた状態（図５参照）にあるとする。
　先述したように、まず使用に際し、レバー部１２Ａの回動を防止するためのストッパーＳが取り除かれ、またノズル２１Ａのヒンジ蓋２１ａを開くことにより噴出口は露出され、使用可能な状態となる。
【００４５】
　この状態から、例えば壁面に向かって容器内の液体を噴出させて吹き付ける場合、まず、ノズル２１Ａを壁面に向け、手で補助カバー１Ａを握り、指でレバー部１２Ａを引く。
　レバー部１２Ａはヒンジ部１１ａを支点として時計回りに回動し、このレバー部１２Ａの回動により、その水平部１２ａは、ノズルヘッド２の上面を押し下げるように作用する。
　ノズルヘッド２と一体化されたピストンシャフト２ａが下降して、図示しないシリンダー内の液体を圧縮してノズル２１Ａから噴出する。
【００４６】
　図６は、レバー部１２Ａを回動した後の状態を示す。基体部１１Ａやレバー部１２Ａには切欠部Ｋ３、切欠部Ｋ４が形成されているために、ノズルヘッド２の下方移動やレバー部１２Ａの回動が支障なく円滑に行われる。
　その後、レバー部１２Ａから指を離したり或いは指の力を緩めることで、ノズルヘッド２は復帰力により上昇して図５の初期状態の位置に戻る。
【００４７】
　このように、第一実施形態のポンプディスペンサーと同じように把持することにより、反手前側に液体を噴出することができ、住宅用として極めて有用である。
　ところで、新しい液体を補充する場合も、上記第一実施形態で述べたように、ポンプディスペンサーの取付けや取外しを、単一動作で一挙に行うことができ極めて便利である。
【００４８】
〔第三実施形態〕
　この補助カバー１Ｂは、図７に示すように、化粧用にも〔図７（Ａ）参照〕、また住宅用〔図７（Ｂ）参照〕にも適用できるものである。
　すなわち、レバー部１２Ｂには切欠部Ｋ５である長穴が形成され、基体部１１Ｂには前側に切欠部Ｋ６である長穴が、また後側（図でいう右側）には切欠部Ｋ７が形成されている。
　従って、キャップ３の大きさが同じであれば、ポンプディスペンサーのノズル２１，２１Ａの位置が前後どちら側に形成されていても適用することができ、化粧用と住宅用の両方に使用可能であり汎用的である。
【００４９】
［その他の実施形態］
　本発明においては、図８に示すような安全部材５を用いることも可能である。
　この安全部材５は、ポンプディスペンサーを使用する際の操作の安全性を担保するものであり補助カバー１に選択的に備えつけられて機能するものである。
　安全部材５は、通中空の筒状本体部５ａと、それより突出状に形成される支持片５ｂとを有している。
　また、安全部材５は、該支持片と反対側に設けられ回動ストッパーＲＳを回動自在に保持するための支持部５ｃと、回動ストッパーＲＳを開放位置で保持するためのストッパー収容部５ｄとを有している。
【００５０】
　安全部材５は、補助カバー１の基体部１１の周囲に取り付けられるが、その基体部１１に対して圧入したり接着剤を使ったりすることで確実に固定することができる。
　又は、安全部材５と補助カバー１とを合成樹脂で一体成形することも可能である。
　安全部材５を筒状本体部５ａに取り付けた状態（図９参照）では、液体を噴射するためにポンプディスペンサーと共に容器全体を持ち上げた場合、支持片５ｂに親指が当接してそれらの重量を容易に支えることができる。
【００５１】
　一方、支持片５ｂの反対側に設けられた回動ストッパーＲＳは、レバー部１２の移動を拘束する位置とそれを開放する位置とに適宜切り替えることが可能である。
　拘束位置では、回動ストッパーＲＳが略水平状態となってレバー部１２が回動するのを拘束する（阻止する）ことができ、不用意な誤動作が起きず安全である。
【００５２】
　また、開放位置では回動ストッパーＲＳが略垂直状態となって、レバー部１２の回動が可能となる。
　前記ストッパー保持部５ｄは一対の相互に隣接する板状部材からなるもので、この間に回動ストッパーＲＳが挟み込まれて着脱自在に保持される。
　一対の板状部材に形成された穴部５ｄ１に回動ストッパーＲＳの突起ＲＳａを係止することで確実に保持力が増す。
【００５３】
　このように補助カバー１に安全部材５を備えた場合は、より安全な状態で操作が可能となる。
　すなわち、ポンプディスペンサーを使用する際、図１０に示すように、親指を支持片５ｂの下に当接させ容器全体を支えた状態で人差し指と中指をレバー部１２に、また薬指と小指をキャップ近傍にあてがうようにする。
　そして、回動ストッパーＲＳを下方に倒して開放状態にした後、人差し指と中指でレバー部１２を押し下げて回動すれば、簡単にノズルから液体を噴射することができる。
【００５４】
　支持片５ｂがない場合、容器全体を支えるべく親指と人差し指及び中指との間で強い把持力を必要とするため、誤ってレバー部１２を回動してしまう危険もある。
　しかしながら、支持片５ｂを備えた場合には、親指で容器全体の重量を支えることができるために強い把持力は不必要となり、そのようなことは生じない。
　そして、この本体部５ａが基体部１１（図９参照）に外挿されることにより、安全部材５が基体部１１に取り付けられる。
【００５５】
　以上、本発明を説明したが、本発明は上記実施形態にのみ限定されるものでなく、本発明の範囲内で種々の変形等が可能である。
　例えば、ノズルヘッド２，２Ａの形状は種々のものが可能であり、そのことによりレバー部１２，１２Ａ，１２Ｂとの接触状態も変更可能である。
　また、基体部１１とレバー部１２，１２Ａ，１２Ｂとの取付け部分であるヒンジ部１１ａの位置を変更可能である。
【００５６】
　また、ストッパーＳはレバー部１２，１２Ａ，１２Ｂと一体化した場合を示したが、図１１に示すように、基体部１１と薄肉部を介して一体化することも可能である。
　なお、この場合、レバー部１２とストッパーＳとは一体化されていない。
　また、ストッパーＳは基体部１１とレバー部１２の両方に薄肉部を介して一体化することも可能である。
　また、回動ストッパーＲＳやストッパー保持部材５ｄの形状はその機能を発揮できる範囲で変更可能である。
【図面の簡単な説明】
【００５７】
【図１】図１は、第一実施形態の補助カバーがポンプディスペンサーに取り付けた状態を示す外観図である。
【図２】図２は、図１のＡ−Ａ線に沿う断面図である。
【図３】図３は、ノズルヘッドの先端側を示す説明図である。（Ａ）は図２のノズルヘッド先端側の拡大図であり、（Ｂ）は（Ａ）のＢ−Ｂ線に沿う断面図である。
【図４】図４は、レバー部を回動した後の状態を示す説明図である。
【図５】図５は、第二実施形態の補助カバーを含む断面図である。
【図６】図６は、レバー部を回動した後の状態を示す説明図である。
【図７】図７は、第三実施形態の補助カバーを示す断面図であり、（Ａ）は化粧用を示し、（Ｂ）は住宅用を示す。
【図８】図８は、安全部材を示す斜視図である。
【図９】図９は、安全部材が設けられた補助カバーを含む断面図である。
【図１０】図１０は、図９のディスペンサーを操作する際の指の掛け方を示す説明図である。
【図１１】図１１は、ストッパーの変形例を示す図である。
【符号の説明】
【００５８】
１，１Ａ，１Ｂ…補助カバー　
１１，１１Ａ，１１Ｂ…基体部
１１ａ…ヒンジ部
１１ｂ…内突起
１２，１２Ａ，１２Ｂ…レバー部
１２ａ…水平部
１２ａ１…突出片
１２ａ２…溝
１２ｂ…垂下部
１２ｂ１…突起
２，２Ａ…ノズルヘッド
２ａ…ピストンシャフト
２１，２１Ａ…ノズル
２１ａ…ノズル蓋
３…キャップ
３１…大径部
３１ａ…凹溝　
３２…小径部
４…容器本体
５…安全部材
５ａ…本体部
５ｂ…支持片
５ｃ…支持部
５ｄ…ストッパー収容部
５ｄ１…穴部
Ｋ１，Ｋ２，Ｋ３，Ｋ４，Ｋ５，Ｋ６，Ｋ７…切欠部
Ｓ…ストッパー　
Ｓ１…薄肉部
ＲＳ…回動ストッパー
ＲＳａ…突起
【図１】
2004122123.tif 000003
【図２】
2004122123.tif 000004
【図３】
2004122123.tif 000005
【図４】
2004122123.tif 000006
【図５】
2004122123.tif 000007
【図６】
2004122123.tif 000008
【図７】
2004122123.tif 000009
【図８】
2004122123.tif 000010
【図９】
2004122123.tif 000011
【図１０】
2004122123.tif 000012
【図１１】
2004122123.tif 000013